(57)【要約】【課題】  遊技用のスロットマシンに関し、停止ボタンが配列された操作面の角度を簡単に調節でき、操作面に衝撃を加えても操作面や内部機構の破損を防止できるスロットマシンを提供する。【解決手段】  停止操作装置２に形成された係止歯部５の係止歯５ａとマシン本体１に枢支された係止爪部６の係止爪６ａとを噛合させる一方向係止手段によって、停止操作装置２の前方への回動は自由にし、後方への回動は係止させるようにした。さらに待避手段を持たせて、操作パネル３に殴打のような衝撃荷重が加えられた場合は、係止歯５ａが係止爪６ａに作用する力によって係止爪部６が揺動するようにし、それにより後方への回動の係止状態を解除して、停止操作装置を収納位置に待避させるようにした。【選択図】  図２
2005160862.tif 000002
【特許請求の範囲】
【請求項１】
回転駆動されるリールを有するマシン本体と回転駆動されている該リールを停止させる停止手段を有し該マシン本体に設けられた停止操作装置とを具備するスロットマシンであって、
前記停止操作装置はその上端部あるいは下端部を横方向に延びる揺動軸心を持つように前記マシン本体に枢支され、
前記マシン本体と前記停止操作装置との間には該停止操作装置が前方に揺動可能とし後方に揺動を止める一方向係止手段を有することを特徴とするスロットマシン。
【請求項２】
前記一方向係止手段は複数の係止歯を持つ係止歯部と該係止歯部の該係止歯に係止する係止爪を持つ係止爪部と該係止爪部の該係止爪を係止方向に付勢する係止爪付勢手段とを持つ請求項１記載のスロットマシン。
【請求項３】
前記係止歯部は前記停止操作装置に設けられ、前記係止爪部は前記マシン本体に枢支されている請求項２記載のスロットマシン。
【請求項４】
前記一方向係止手段は前記停止操作装置に後方への大きな力が作用したときに該停止操作装置を後方の待避位置に揺動させる待避手段を持つ請求項１記載のスロットマシン。
【請求項５】
前記一方向係止手段は複数の係止歯を持つ係止歯部と該係止歯部の該係止歯に係止する係止爪を持つ係止爪部と該係止爪部の該係止爪を係止方向に付勢する係止爪付勢手段とを持ち、
前記待避手段は該係止爪部を揺動自在に枢支する枢支軸と該枢支軸が挿通する長穴と該枢支軸が該長穴の一端側に位置する方向に付勢する枢支軸付勢手段とで構成され、前記停止操作装置に後方への大きな力が作用したときに該枢支軸が該長穴の他端側に相対移動して該停止操作装置を待避位置に揺動させる請求項４記載のスロットマシン。
【発明の詳細な説明】
【技術分野】
【０００１】
この発明は、遊技用のスロットマシンに関し、特に、回転駆動されている回転リールを停止させる停止ボタンが配列された停止操作装置に関する。
【背景技術】
【０００２】
スロットマシンは遊技場に広く普及しているが、遊技者にとって最も重要なことは、回転駆動されている回転リールを停止させる操作のタイミングが勝負に大きく左右することである。従来のスロットマシンは、回転リールを停止させる停止ボタンが配列された操作面が、ほぼ同じ位置に、ほぼ同じ姿勢に固定されているものが多いが、遊技者の体格、姿勢、趣向によって、好みの角度に安全かつ容易に調節したいというニーズが強い。このようなニーズに応えて、操作面の角度を調節できるようにしたスロットマシンが出現してきたため、遊技者のために停止ボタンの操作をし易くするという所期の目的は達成しつつある。
【０００３】
しかしながら、このことに起因して、操作面の回転手段とその操作手段、回転の固定手段とその操作手段、固定の解除手段とその操作手段などのための機械要素や操作要素が増える結果となり、これらの要素が故障したり、破損したり、角度の調節が面倒であったりする問題を抱えている。
【特許文献１】特許第３２２２８２８号公報
【特許文献２】実用新案登録第３０４８６５４号公報
【発明の開示】
【発明が解決しようとする課題】
【０００４】
本発明のスロットマシンは、このような従来の方式の問題を解決しようとするものである。
【０００５】
すなわち、本発明の第１の課題は、遊技者が安全でかつ容易に角度調節できる停止操作装置を持つスロットマシンを提供すること、また、第２の課題は、角度調節をする機構が単純かつ頑丈で、部材が少なく、製作しやすく、故障が少なく、保守が簡単であるスロットマシンを提供すること、また、第３の課題は、遊技中に誤った操作をしても破損を防止できるスロットマシンを提供することである。
【課題を解決するための手段】
【０００６】
本発明のスロットマシンは、上記の課題を解決するために、次の特徴ある技術的手段を有する。
【０００７】
本発明のスロットマシンは、回転駆動する回転リールを有するマシン本体と回転駆動されている該回転リールを停止させる停止手段を有し該マシン本体に設けられた停止操作装置とを具備するスロットマシンであって、前記停止操作装置はその上端部あるいは下端部を横方向に延びる揺動軸心を持つように前記マシン本体に枢支され、前記マシン本体と前記停止操作装置との間には該停止操作装置が前方に揺動可能とし後方に揺動を止める一方向係止手段を有することを特徴としている。
【０００８】
前記一方向係止手段は複数の係止歯を持つ係止歯部と該係止歯部の該係止歯に係止する係止爪を持つ係止爪部と該係止爪部の係止爪を係止方向に付勢する係止爪付勢手段とを持つものとすることができる。
【０００９】
また、前記係止歯部は前記停止操作装置に設けられ、前記係止爪部は前記マシン本体に枢支されているものとすることができる。
【００１０】
また、前記一方向係止手段は前記停止操作装置に後方への大きな力が作用したときに該停止操作装置を後方の待避位置に揺動させる待避手段を持つものとすることができる。
【００１１】
また、前記一方向係止手段は複数の係止歯を持つ係止歯部と該係止歯部の該係止歯に係止する係止爪を持つ係止爪部と該係止爪部の係止爪を係止方向に付勢する係止爪付勢手段とを持ち、前記待避手段は該係止爪部を揺動自在に枢支する枢支軸と該枢支軸が挿通する長穴と該枢支軸が該長穴の一端側に位置する方向に付勢する枢支軸付勢手段とで構成され、前記停止操作装置に後方への大きな力が作用したときに該枢支軸が該長穴の他端側に相対移動して該停止操作装置を待避位置に揺動させるものとすることができる。
【００１２】
本発明でスロットマシンとはスタートレバーの操作により回転駆動されるリールを有する装置をいう。通常遊戯具として知られている、内蔵されているマイクロコンピュータの制御によりスタートレバーの操作によりリールを回転駆動し、その後ストップボタンを押してリールを停止させ、リールが停止した状態で停止ライン上に絵柄が揃う状態で例えば得点を競う装置を含む。
【００１３】
本発明でマシン本体とは、主として本発明で言う停止操作装置を除く他の部分をさす。マシン本体には、スタートレバー、リールその他制御用マイクロコンピュータ等を含む。
【００１４】
停止操作装置はリールの停止操作に必要な停止ボタン等の停止手段を備えている。停止手段の操作によりマシン本体の制御用マイクロコンピュータが機能し、リールを停止させる。
【００１５】
一方向係止手段としては、一方向への移動を許し反対の他方向への移動を許さない係止手段である。係止位置は無断階に所望の位置で係止できるものでも、所定間隔で係止されるものでもいずれでも良い。この一方向係止手段として、複数の係止歯を持つ係止歯部と係止歯に係止する係止爪部とを持つ手段を用いることができる。また他の例としては、一方向クラッチとして知られている、無断階に所望位置で停止できる手段を挙げることができる。
【００１６】
本発明でいう待避手段は停止操作装置に後方への大きな力が作用したときに停止操作装置を後方の待避位置に移動させる手段である。この待避手段により停止装置及びマシン本体が異常な力により損傷されるのを避けることができる。待避手段としては、後に説明する実施例に示すもの以外に、マシン本体あるいは停止操作装置の一方に揺動あるいは移動可能に保持され、待避方向と逆方向に強い付勢力で付勢されたブラケット等の中間部材を用いてもよい。そしてこの中間部材とマシン本体あるいは停止操作装置の他方との間に一方向係止手段を設ける。これにより異常に大きな力が作用したときには、マシン本体あるいは停止操作装置の一方と中間部材とが相対移動し、一方向係止手段の係止が機能している状態で停止操作装置を待避位置に待避させることができる。
【発明の効果】
【００１７】
本発明のスロットマシンによれば、一方向係止手段によって、停止操作装置の後方への回動を固定したりそれを解除したりする操作をしないで、安全かつ容易に好みの角度に調節することができる。また、一方向係止手段に待避手段を持たせることによって、遊技中に興奮して乱暴な操作をしても、操作面や部材類の破損を防止することができる。また、構造が単純であり、部材点数が少なく、製作しやすく、故障が少なく、保守のしやすいスロットマシンを実現することができる。
【実施例１】
【００１８】
以下、添付図面の図１〜図５に従い、本発明のスロットマシンに係わる実施例について説明する。
【００１９】
図１は、本発明のスロットマシンの外観を図示したものである。マシン本体１には本発明の特徴とする停止操作装置２が、停止操作装置２の前面には操作パネル３が配置され、操作パネル３には回転リール（図示せず）を停止させる停止ボタン３ａが配列されている。
【００２０】
図２は、本発明のスロットマシンの特徴とする一方向係止手段の実施例の構造を側面から図示したものである。
【００２１】
図２を用いて、停止操作装置２の角度をマシン本体１に対して前方の一方向に調節する構造を説明する。
【００２２】
（回動機構）停止操作装置２の上部に位置して正面から見て横方向に軸心を持つ回動軸４によってマシン本体１に対する停止操作装置２の回動機構が構成されている。これによって、停止操作装置２をマシン本体１に対して前方（図２では時計回り方向、以下同じ）と後方（図２では反時計回り方向、以下同じ）の双方向に回動させることができる。
【００２３】
（係止機構）一方、停止操作装置２の後面に位置して係止歯５ａ、上顎５ｂ、下顎５ｃを持つ係止歯部５と、停止操作装置２の後部に位置して係止歯部５と噛合する係止爪６ａを持つ係止爪部６とによって、マシン本体１に対する停止操作装置２の一方向の係止機構（いわゆる、ラチェット機構）が構成されている。係止爪部６は、軸端がマシン本体１の軸受８の長穴に挿入された枢支軸７によって回転と長穴の形状に拘束された移動とができるようにマシン本体１に枢支され、また、他端がマシン本体１に支持されたスプリング９によってマシン本体１に付勢されている。
【００２４】
（回動機構と係止機構との関係）上記のように構成することにより、停止操作装置２は、前記回動機構によってマシン本体１に対して前方には自由に回動できるが、前記係止機構によって係止歯部５の係止歯５ａと係止爪部６の係止爪６ａとが噛合するとその状態で係止されてマシン本体１に対して後方には回動できなくなる。つまり、停止操作装置２を、係止歯５ａの諸元によって定まる間欠的な角度で、マシン本体１に対して前方の一方向にのみ調節することができる。
【００２５】
図３は、本発明のスロットマシンの特徴とする一方向係止手段の実施例の動作を図示したものである。同図を用いて、停止操作装置２の角度をマシン本体１に対して前方の一方向に調節する動作を説明する。
【００２６】
（初期位置）図３(ａ)は、停止操作装置２の角度を調節していない初期位置を示している。この場合は、スプリング９が係止歯５ａの最下歯と係止爪６ａとが噛合するように付勢しているため、停止操作装置２は係止された状態にある。すなわち、停止操作装置２に後方の荷重がかかっても回動しないため、この状態で操作パネル３にある停止ボタン３aを操作することができる。
【００２７】
（調節位置）図３(ｂ)は、停止操作装置２を前方に回動させて角度を調節した調節位置を示している。この場合は、スプリング９が係止歯５ａと係止爪６ａとが噛合するように付勢しているため、停止操作装置２は係止された状態にある。すなわち、停止操作装置２に後方の荷重がかかっても回動しないため、この状態で操作パネル３にある停止ボタン３aを操作することができる。停止操作装置２をこの角度から後方の角度に調節するためには、一旦停止操作装置２を前方に最大角度まで回動させて係止歯５ａと係止爪６ａとの噛合を解放する必要がある。
【００２８】
（解放位置）図３(ｃ)は、停止操作装置２を前方に最大角度まで回動させた解放位置を示している。この場合は、係止歯５ａと係止爪６ａとは噛合していないため、停止操作装置２は解放された状態にある。この状態から停止操作装置２を後方に回動させると、下顎５ｃと係止爪６ａとが再噛合して、図３(ａ)の初期位置に復帰する。なお、図３(ｃ)の解放位置では、係止爪部６に回転力が働かない平衡状態となるような仕組みになっている。すなわち、この状態では係止爪部６の枢支軸７をスプリング９が付勢する力の方向に配置させるとともに、この状態から係止爪部６が回転しないようにストッパー（図示せず）が設けられる。
【００２９】
図４は、本発明のスロットマシンの特徴とする一方向係止手段に待避手段を持つ実施例の動作を図示したものである。係止爪部６の枢支軸７は、停止操作装置２に加わる荷重によって係止歯部５が係止爪部６に作用する力と、マシン本体１に他端が支持されたスプリング９が係止爪部６を付勢する力との大小関係によって軸受８の長穴の中を移動する。加わる荷重が小さい場合には、軸受８の長穴の一端の通常位置側に移動している。なお、上記の図３は、係止爪部５の枢支軸７が通常位置側に移動している状態での動作を示している。
【００３０】
（収納途中）図４(ａ)は、停止操作装置２がある調節位置から収納位置への移動を開始した状態を示している。停止操作装置２の後方に衝撃荷重が加わると、係止歯部５から係止爪部６への大きな力が作用して、係止爪部６の枢支軸７が軸受８の長穴の一端の通常位置側から他端の待避位置側への移動を開始する。これにより、係止歯５ａと係止爪６ａとの噛合による係止状態が解除され、停止操作装置２は後方に回動できるようになる。
【００３１】
（収納位置）図４(ｂ)は、停止操作装置２がある調節位置から収納位置への移動を終了した状態を示している。係止爪部６の枢支軸７は軸受８の長穴の一端の通常位置側から他端の待避位置側への移動を終了して、係止爪６ａは上顎５ｂの位置にある。なお、この実施例での収納位置は、角度を調節していない初期位置としている。
【００３２】
図５は、本発明のスロットマシンの特徴とする一方向係止手段に待避手段を持つ実施例の実験結果を図示したものである。
【００３３】
（通常荷重）図５(ａ)は、通常時には操作パネル３に２kgf程度の荷重が加わることを示している。
【００３４】
（衝撃荷重）図５(ｂ) は、殴打するような衝撃時には操作パネル３に２０
kgfの荷重が加わることを示している。すなわち、通常時の約１０倍以上の荷重が加わったときに、係止爪部６の枢支軸７が軸受８の長穴の他端の待避位置側に移行するようにスプリング９の諸元を設計している。
【００３５】
以上、本発明のスロットマシンに係わる実施例について説明したが、これらは本発明を具現化した一例を示したに過ぎず、何ら本発明を限定するものではない。例えば、上記の実施例における一方向係止手段、待避手段、係止爪付勢手段、及び枢支軸付勢手段の各部の機構は、別の機構に設計変更してもよい。なお、上記の実施例はスロットマシンに限定して説明したが、これらの構成は、その他の大衆遊技機器にも適用できる。
【図面の簡単な説明】
【００３６】
【図１】スロットマシンの外観を図示したものである。
【図２】本発明における一方向係止手段の実施例の構造を側面から図示したものである。
【図３】本発明における一方向係止手段の実施例の動作を図示したものである。
【図４】本発明における一方向係止手段に待避手段を持つ実施例の動作を図示したものである。
【図５】本発明における一方向係止手段に待避手段を持つ実施例の実験結果を図示したものである。
【符号の説明】
【００３７】
１：マシン本体    ２：停止操作装置    ３：操作パネル
５：係止歯部      ６：係止爪部
【図１】
2005160862.tif 000003
【図２】
2005160862.tif 000004
【図３】
2005160862.tif 000005
【図４】
2005160862.tif 000006
【図５】
2005160862.tif 000007